(57)【要約】【課題】敷物自体には手を加えず、その持ち運びを容易にする。【解決手段】敷物２０とは別体に、敷物結束運搬具１０を形成する。結束運搬具１０は、並列する伸縮可能な環状結束部１１と、両端が環状結束ベルト１１のそれぞれに縫い付けられた提げベルト１２と、両端が、一方の環状結束ベルト１１の対向する２箇所に縫い付けられた抜け止めベルト１３とからなる。両環状結束ベルト１１を広げて、丸めた敷物２０を差し込み、敷物２０の一端が抜け止めベルト１３に当接した時点で、環状結束ベルト１１を元に戻すと、収縮圧により、敷物２０が外周から押圧されて強固に束ねられる。この状態で、敷物２０の抜け止めベルト１３に当接した側の端部が下になるように傾斜させ、提げベルト１２を肩に掛けると、持ち運びが楽であり、結束運搬具１０から敷物２０が脱落する恐れはない。【選択図】図３
0003119139.tif 000002
【実用新案登録請求の範囲】
【請求項１】
丸めた敷物を束ねる一または複数の結束部と、敷物を持ち運ぶ際に支持する提げ部とを有する敷物結束運搬具。
【請求項２】
丸めた敷物の一方端部を当接させる抜け止め部を有する請求項１に記載の敷物結束運搬具。
【請求項３】
上記結束部は、丸めた敷物を外周から締め付けて束ねる伸縮性素材からなる環状結束ベルトである請求項１または２に記載の敷物結束運搬具。
【請求項４】
上記提げ部は、両端が一または二の結束部に連結された提げベルトである請求項１から３のいずれかに記載の敷物結束運搬具。
【請求項５】
上記抜け止め部は、両端が一の結束部の異なる２箇所に連結された抜け止めベルトである請求項１から４のいずれかに記載の敷物結束運搬具。
【請求項６】
上記提げベルトと抜け止めベルトとが、一本のベルトにより形成された請求項５に記載の敷物結束運搬具。
【考案の詳細な説明】
【技術分野】
【０００１】
この考案は、敷物を結束して、その持ち運びを容易ならしめる敷物結束運搬具に関する。
【背景技術】
【０００２】
敷物には、キャンピングマットやござのように、キャンプや花見などのレジャーの際に屋外で使用されるものがあり、これらは、当該使用場所まで持ち運ぶ必要がある。
これらを運搬する際には、折りたたむと嵩張るため、丸めて手に持つことになるが、従来の敷物には、つかみどころがなく、また、手が滑って落とすなどすると、すぐに元の開いた状態に戻ってしまうため、非常に持ちづらかった。
【０００３】
そこで、図４（ａ）に示すように、敷物本体３１の側縁に、両端に面ファスナーやバックルなどの固定部材が設けられたバンド３２と、取手３３とが取り付けられた可搬性敷物３０が考案されている（特許文献１および特許文献２参照）。これを持ち運ぶ際には、図４（ｂ）のように、敷物本体３１を丸めた状態で、バンド３２を外面に巻きつけて両端の固定部材同士を結合することで束ね、取手３３を持つことになる。
このようにすれば、バンド３２により敷物本体３１を丸めた状態を維持でき、取手３３によりしっかりとつかむことができるため、持ち運びに便利である。
【０００４】
しかし、持ち運ぶことが想定されるすべての敷物に、逐一取手３３やバンド３２を取り付けるとなると、製造コストが高くつく。また、可搬性敷物３０の敷物本体３１を開いてキャンプや花見の場で使用する際にも、その側縁に取り付けられた取手３３やバンド３２が邪魔になるうえ、体裁も悪い。
【特許文献１】特開平７−２１３３３７号公報
【特許文献２】実開平３−１２９３１５号公報
【考案の開示】
【考案が解決しようとする課題】
【０００５】
そこで、この考案は、敷物自体には手を加えず、その持ち運びを容易ならしめることをその課題とする。
【課題を解決するための手段】
【０００６】
上記した課題を解決するため、本考案者は、丸めた敷物を束ねる一または複数の結束部と、敷物を持ち運ぶ際に支持する提げ部とを有する、敷物と別体の敷物結束運搬具を新たに考案したのである。
【０００７】
このようにすれば、敷物自体には、取手や固定のためのバンドを取り付ける必要がない。そして、この結束運搬具を用いて、結束部で敷物を束ね、提げ部を握るか肩に掛けるかして敷物を容易に持ち運ぶことができるが、その際、種々の敷物について、一つの結束運搬具を汎用できるため、コストがかからずしかも便利である。
【０００８】
なお、本願で言う敷物には、マット、カーペット、ござなどの床面あるいは地面に敷くもののみならず、テーブルの天板に敷くテーブルクロスなどの平滑な面に敷くもの全般が含まれる。
【０００９】
上記した結束運搬具にさらに、丸めた敷物を結束運搬具に差し込んだ際に、その一方端部に当接する抜け止め部を設けると、敷物を傾けて持ち運んだ際に、傾斜下端側を抜け止め部が支えるため、外部からの衝撃などにより結束部による結束状態が緩んだ場合でも、運搬具から敷物が抜け落ちるのを防止することができる。
【００１０】
ここで、結束部を、丸めた敷物を外周から締め付けて束ねる伸縮性素材からなる環状結束ベルトとすると、これを指で広げた状態で、丸めた敷物を中に通し、その後に指を離すことで縮まり、敷物が外周から締め付けられることで、簡単に結束保持することができる。
また、結束部を両端に面ファスナーやバックルなどの固定部材を設けたバンドとした場合に比べて、構造が簡単であるため安価であり、さらに、面ファスナーなどのようにはがれて結束が解ける心配もない。
【００１１】
提げ部を、両端が一または二の結束部に連結された提げベルトとし、抜け止め部を、両端が一の結束部の異なる２箇所に連結された抜け止めベルトとすると、構造が簡単なため、丈夫で製造コストを抑えることができる。特に、提げベルトと抜け止めベルトとを、一本のベルトにより一体に形成すると、製造が容易であり、体裁もよい。
【考案の効果】
【００１２】
上記したように敷物と別体に敷物結束運搬具を形成したので、敷物自体に余計な付属品をつける必要がなくなる。そのため、敷物の見た目や使い勝手が悪くなったり、製造コストが高く付いたりすることがない。そして、この敷物結束運搬具を用いることで、敷物を楽に持ち運ぶことができる。
【考案を実施するための最良の形態】
【００１３】
以下、図面を参照しつつこの考案の実施形態について説明する。
【００１４】
図１のように、この敷物結束運搬具１０は、並列する２つの環状の結束ベルト１１と、両端が環状結束ベルト１１のそれぞれ一方に縫い付けられた提げベルト１２と、両端が一の環状結束ベルト１１の直径方向において対向する２箇所に縫い付けられた抜け止めベルト１３とからなる。図示のように、提げベルト１２と抜け止めベルト１３とは一本のベルト素材から一体的に形成されている。
【００１５】
環状の結束ベルト１１はゴムベルトの両端相互を縫い付けて形成されており、伸縮自在となっている。そして、一体の提げベルト１２および抜け止めベルト１３はポリプロピレンベルトからなり、軽量で丈夫である。
【００１６】
この結束運搬具１０で敷物２０を結束するには、図２の手順を踏む。すなわち、まず、図２（ａ）のように、敷物２０を丸めておき、それを一方端部側から結束運搬具１０に差し込んでゆく。図示のように、抜け止めベルト１３が邪魔にならないように、抜け止めベルト１３が縫い付けられていない結束部１１側から差し込んで行くのがよい。
また、図示のように、環状結束ベルト１１の直径は、通常の大きさのキャンピングマットやござなどの屋外で使用される敷物２０を丸めた場合の直径より小さく形成されている。
【００１７】
まず図２（ｂ）のように、抜け止めベルト１３が縫い付けられていない環状結束ベルト１１の直径が敷物２０の直径より大きくなるように指（図示省略）で広げ、そこに敷物２０を差し込んでゆく。
同様に、図２（ｃ）のように、抜け止めベルト１３が縫い付けられている環状結束ベルト１１も指で広げ、敷物２０をさらに結束運搬具１０の奥部に差し込んでゆく。
最後に、図２（ｄ）のように、敷物２０の差込方向において先行する側の端部が抜け止めベルト１３に当接した状態において、環状結束ベルト１１を広げていた手を離す。図示のように、環状結束ベルト１１が収縮することにより、敷物２０の外周の２箇所が締め付けられ、敷物２０が束ねられる。
【００１８】
図３のように、結束運搬具１０によって束ねられた敷物２０は、提げベルト１２を肩に掛けるか、手で握るかして持ち運ぶとよい。このとき、図示のように、敷物２０が抜け止めベルト１３に当接した側を下にして傾けておけば、抜け止めベルト１３が敷物２０を支えるため、結束運搬具１０から脱落する心配がない。
なお、結束運搬具１０を持ち運ぶ際には、肩から掛けたほうが、手で握るより負担が軽いので好ましいが、肩からかける場合には、提げベルト１２の長さを８０ｃｍ〜１００ｃｍとしておくと丁度よい長さとなる。
また、抜け止めベルト１３は長いほど敷物２０の脱落を防止できるが、その一方で、長すぎると敷物２０を結束運搬具１０に差し込んだり、抜き取ったりする際に邪魔になる。そこで、抜け止めベルト１３に敷物２０を当接させた際の、抜け止めベルト１３の深さが、１５ｃｍ〜２０ｃｍにしておくのがよい。
【００１９】
この実施形態では、敷物２０の結束部をゴムベルトからなる環状結束ベルト１１としたが、これに限定されず、例えば、両端に面ファスナーやバックルなどの固定部材を設けたバンドから形成し、このバンドを敷物２０の外面に巻きつけて、両端の固定部材同士を結合することにより結束してもよい。
また、結束部の個数は、この実施形態に限られず、１個でもよいし、３個以上でもよい。もっとも、安定性やコストを考えると、２個とするのが効率的である。
なお、３個以上の場合には、バラバラにならないよう、間に亘らせて縫い付ける等して、相互を連結する連結部を設ける必要があるが、この連結部は提げベルト１２と一体的に形成、すなわち、提げベルト１２を、亘らせて縫い付けることで連結部とするのがよい。
【００２０】
環状結束ベルト１１の常態における直径は、大きすぎると、通常の敷物２０を丸めた状態の直径より大きくなるか、あるいは、それよりは小さくても敷物２０を外周からの締め付ける力が弱くなったりするので用を成さない。その一方で、直径が小さすぎると、通常の敷物２０を丸めて差し込む際に、強い力で広げなければならないので手間である。そこで、直径を５ｃｍ〜１０ｃｍにしておくと、締め付け力と扱いの容易性との均衡が取れる。
【００２１】
また、この実施形態では、提げ部および抜け止め部をベルト状体１２，１３としたがこれに限られず、例えば取手と底板としてもよい。なお、提げベルト１２および抜け止めベルト１３を、ポリプロピレンベルトとしたが、これに限定されず、帯紐などフレキシブルな紐状体であればよい。また、提げベルト１２と抜け止めベルト１３とを別体に形成してもよいことは無論である。
さらに、この実施形態では、環状結束ベルト１１、提げベルト１２および抜け止めベルト１３の幅を一定にしているが、幅の広さが周期的に変化し、外縁が波型を描く波状ベルトなどデザイン性等を考慮して適宜形状の変更が可能である。
なお、環状結束ベルト１１と提げベルト１２および抜け止めベルト１３との固定を縫い付けることにより行っているが、これに限られず、接着、鋲止め等して固定してもよい。
【図面の簡単な説明】
【００２２】
【図１】敷物結束運搬具の斜視図
【図２】（ａ）〜（ｄ）結束運搬具に敷物を差し込む手順を示す図
【図３】結束運搬具の使用状態図
【図４】（ａ）は特許文献に記載の敷物を広げた図、（ｂ）はそれを丸めて結束した図
【符号の説明】
【００２３】
１０  考案にかかる結束運搬具
１１  環状結束ベルト
１２  提げベルト
１３  抜け止めベルト
２０  敷物
３０  特許文献に記載の可搬性敷物
３１  敷物本体
３２  バンド
３３  取手
【図１】
0003119139.tif 000003
【図２】
0003119139.tif 000004
【図３】
0003119139.tif 000005
【図４】
0003119139.tif 000006